(57)【要約】【課題】着用者のウォーキング中の歩行効率を高めて、快適なウォーキングを行って、着用者の健康増進を図る。【解決手段】中敷本体１４の内部には補強芯材３２が設けられ、補強芯材３２は、長さ方向に延びた第１芯材部３２ａと、幅方向に延びた第２芯材部３２ｂと、長さ方向に延びた第３芯材部３２ｃとを有している。第１芯材部３２ａの一端は、土踏まず対応領域１０ｂの外側部分に位置し、第１芯材部３２ａの他端は、土踏まず対応領域１０ｂとつま先対応領域１０ｃの境界周辺の外側部分に位置している。第２芯材部３２ｂの一端は、第１芯材部３２ａの他端に連結され、第２芯材部３２ｂの他端は、土踏まず対応領域１０ｂとつま先対応領域１０ｃの境界周辺の内側部分に位置している。第３芯材部３２ｃの一端は、第２芯材部３２ｂの他端に連結され、第３芯材部３２ｃの他端は、つま先対応領域１０ｃの内側部分に位置している。【選択図】図３
2020069203.tif 000002
【特許請求の範囲】
【請求項１】
靴の内底面に敷設される中敷において、
クッション性のある中敷本体と、
前記中敷本体の内部に設けられ、一端が踵対応領域又は土踏まず対応領域の外側部分に位置しかつ他端が土踏まず対応領域とつま先対応領域の境界周辺の外側部分に位置しかつ長さ方向に延びた第１芯材部、一端が前記第１芯材部の他端に連結されかつ他端が土踏まず対応領域とつま先対応領域の境界周辺の内側部分に位置しかつ幅方向に延びた第２芯材部、及び一端が前記第２芯材部の他端に連結されかつ他端がつま先対応領域の内側部分に位置しかつ長さ方向に延びた第３芯材部を有した補強芯材と、を備えことを特徴とする中敷。
【請求項２】
踵対応領域の高さは、幅方向の中心から幅方向外側に向かって徐々に高くなっていることを特徴とする請求項１に記載の中敷。
【請求項３】
前記補強芯材の剛性は、前記中敷本体の剛性よりも高く設定されていることを特徴とする請求項１又は請求項２に記載の中敷。
【発明の詳細な説明】
【技術分野】
【０００１】
本発明は、ウォーキングシューズ等の靴の内底面に敷設される中敷に関する。
【背景技術】
【０００２】
着用者の足や腰の疲労を軽減するために、靴の内底面にクッション性のある中敷（インソール）を設置することがよく行われている。また、着用者の足や腰の疲労をより軽減するために、インソールの接触面に足骨のアーチを支持する凸状のアーチサポートが形成されることがある（特許文献１参照）。
【先行技術文献】
【特許文献】
【０００３】
【特許文献１】特開２０１７−２３７０６号公報
【発明の概要】
【発明が解決しようとする課題】
【０００４】
近年、健康増進を目的としてウォーキングを行う人が老若男女を問わず増えてきている。一方、ウォーキング中に、歩行姿勢が悪いと、足が幅方向外側に流れて、歩行効率が低下して、疲れやすくなり、却って健康を損なうことがある。そのため、歩行効率を高めて疲れにくい、快適なウォーキングを行うための中敷の開発が望まれている。
【０００５】
そこで、本発明は、ウォーキング中に足が幅方向外側に流れることを十分に抑えることができる中敷を提供することを課題とする。
【課題を解決するための手段】
【０００６】
本発明の実施態様は、靴の内底面に敷設される中敷において、クッション性のある中敷本体と、前記中敷本体の内部に設けられ、一端が踵対応領域又は土踏まず対応領域の外側部分に位置しかつ他端が土踏まず対応領域とつま先対応領域の境界周辺の外側部分に位置しかつ長さ方向に延びた第１芯材部、一端が前記第１芯材部の他端に連結されかつ他端が土踏まず対応領域とつま先対応領域の境界周辺の内側部分に位置しかつ幅方向に延びた第２芯材部、及び一端が前記第２芯材部の他端に連結されかつ他端がつま先対応領域の内側部分に位置しかつ長さ方向に延びた第３芯材部を有した補強芯材と、を備えたことである。
【０００７】
本発明の実施態様では、踵対応領域の高さは、幅方向の中心から幅方向外側に向かって徐々に高くなってもよい。また、前記補強芯材の剛性（曲げ剛性）は、前記中敷本体の剛性よりも高く設定されてもよい。
【０００８】
本発明の実施態様によると、前述のように、前記中敷本体の内部に前記補強芯材が設けられ、前記補強芯材が前述の構成からなる前記第１芯材部、前記第２芯材部、及び前記第３芯材部を有している。そのため、歩行時の荷重中心が理想的な荷重中心軌跡（足圧中心軌跡）を沿うように、歩行を幅方向内側に誘導することができる。これにより、ウォーキング中に足が幅方向外側に流れることを十分に抑えることができる。
【発明の効果】
【０００９】
本発明によれば、着用者のウォーキング中の歩行効率を高めて、快適なウォーキングを行って、着用者の健康増進を図ることができる。
【図面の簡単な説明】
【００１０】
【図１】図１は、本発明の実施形態に係るウォーキング用中敷を靴の内底面に設置した様子を示す図ある。
【図２】図２は、本発明の実施形態に係るウォーキング用中敷と、足骨を含む足との関係を示す図である。
【図３】図３は、本発明の実施形態に係るウォーキング用中敷の平面図（接足面側から見た図）である。
【図４】図４は、本発明の実施形態に係るウォーキング用中敷の側面図である。
【図５】図５は、本発明の実施形態に係るウォーキング用中敷の底面図（接地面側から見た図）である。
【図６】図６（ａ）は、本発明の実施形態に係るウォーキング用中敷の背面図（後側から見た図）である。図６（ｂ）は、図３におけるVI-VI線に沿った切断部端面図である。
【図７】図７は、図３におけるVII-VII線に沿った断面図である。
【図８】図８は、通常歩行時の荷重中心軌跡及び高速歩行時の荷重中心軌跡を示す図である。
【発明を実施するための形態】
【００１１】
以下、本発明の実施形態について図１から図８参照して説明する。
【００１２】
なお、本願の明細書及び特許請求の範囲の記載において、「長さ方向」とは、中敷又は足の長さ方向のことをいい、前後方向と同義である。「長さ方向一方側」とは、前方向又は前側のことをいう。「長さ方向他方側」とは、後方向又は後側のことをいう。「幅方向」とは、中敷又は足の幅方向のことをいう。「幅方向内側」とは、中敷又は足の幅方向の内側のことをいう。「幅方向外側」とは、中敷又は足の幅方向の外側のことをいう。「内側部分」とは、幅方向内側の領域に位置する部分のことをいう。「外側部分」とは、幅方向外側の領域に位置する部分のことをいう。「表面」とは、中敷の接足面側の面こという。「裏面」とは、中敷の接地面側の面ことをいう。
【００１３】
図面中、「ＬＤ」は長さ方向、「ＬＤｆ」は長さ方向一方側（前側）、「ＬＤｒ」は長さ方向他方側（後側）、「ＷＤ」は幅方向、「ＷＤｉ」は幅方向内側、「ＷＤｏ」は幅方向外側をそれぞれ指している。
【００１４】
図１及び図２に示すように、本発明の実施形態に係るウォーキング用中敷１０は、ウォーキングシューズ等の靴１２の内底面に着脱可能に敷設される中敷（インソール）であり、快適なウォーキングを行うために開発されたものである。なお、ウォーキング用中敷１０を靴１２の内底面に一体的に設置してもよい。
【００１５】
ウォーキング用中敷１０は、足Ｆの踵部Ｆａに対応する踵対応領域１０ａと、足Ｆの土踏まず部Ｆｂに対応する土踏まず対応領域１０ｂと、足Ｆのつま先部Ｆｃに対応するつま先対応領域１０ｃとを有している。また、踵対応領域１０ａと土踏まず対応領域１０ｂの境界周辺には、踵対応領域１０ａの前側部分及び土踏まず対応領域１０ｂの後側部分が含まれる。土踏まず対応領域１０ｂとつま先対応領域１０ｃの境界周辺には、土踏まず対応領域１０ｂの前側部分とつま先対応領域１０ｃの後側部分が含まれる。ウォーキング用中敷１０の接足面は、踵対応領域１０ａの接足面と、土踏まず対応領域１０ｂの接足面と、つま先対応領域１０ｃの接足面とからなる。ウォーキング用中敷１０の接地面は、踵対応領域１０ａの接地面と、土踏まず対応領域１０ｂの接地面と、つま先対応領域１０ｃの接地面とからなる。
【００１６】
図２から図７に示すように、ウォーキング用中敷１０は、クッション性のある中敷本体１４を備えている。中敷本体１４は、上部中敷本体１６と、上部中敷本体１６の裏面に接合された下部中敷本体１８とからなる２層構造になっている。中敷本体１４（上部中敷本体１６及び下部中敷本体１８）は、ウレタンフォームにより構成されている。下部中敷本体１８の裏面における踵対応領域１０ａから土踏まず対応領域１０ｂに亘る領域には、凹部１８ｄが形成されている。下部中敷本体１８の凹部１８ｄの底面における踵対応領域１０ａの中央部には、足骨Ｂの踵骨Ｂａに働く荷重を吸収するための長円状の凸部１８ｓが形成されている。なお、中敷本体１４を２層構造する代わりに、３層構造又は４層構造等にしてもよい。中敷本体１４をウレタンフォームにより構成するに代わりに、エチレン−酢酸ビニル共重合体（ＥＶＡ）等の熱可塑性合成樹脂の発泡体又はブタジエンラバー等のラバー素材の発泡体により構成してもよい。
【００１７】
下部中敷本体１８の凹部１８ｄには、足Ｆの踵部Ｆａから土踏まず部Ｆｂを支持するための補強シェル２０が整合するように設けられている。補強シェル２０は、合成樹脂を含浸させた不織布と、エチレン−酢酸ビニル共重合体（ＥＶＡ）等の熱可塑性樹脂のシートを貼り合わせた２層構造になっている。補強シェル２０の剛性（曲げ剛性）は、中敷本体１４の剛性より高く設定されている。また、補強シェル２０における踵対応領域１０ａの中央部には、下部中敷本体１８の凸部１８ｓを嵌合させるための長円状の嵌合穴２０ｈが形成されている。なお、補強シェル２０を２層構造にする代わりに、合成樹脂からなる１層構造にしてもよい。ウォーキング用中敷１０の構成から補強シェル２０を省略してもよい。この場合には、下部中敷本体１８の構成から凹部１８ｄ及び凸部１８ｓを省略する。
【００１８】
上部中敷本体１６の表面には、足Ｆと直接接触する表層２２が接合されている。表層２２は、ポリエステルにより構成されており、表層２２の厚みは、例えば０．５〜１．０ｍｍに設定されている。表層２２をポリエステルに構成する代わりに、ナイロン、合成繊維、人工皮革、合成皮革、又は天然皮革により構成してもよい。
【００１９】
図２及び図３に示すように、ウォーキング用中敷１０の接足面の内側部分には、足骨Ｂの内側縦アーチＢｂを支持する凸状の内側縦アーチサポート２４が踵対応領域１０ａから土踏まず対応領域１０ｂの前側部分にかけて形成されている。また、ウォーキング用中敷１０の接足面の外側部分には、足骨Ｂの外側縦アーチＢｃを支持する凸状の外側縦アーチサポート２６が踵対応領域１０ａから土踏まず対応領域１０ｂの後側部分にかけて形成されている。外側縦アーチサポート２６の長さ方向の寸法は、内側縦アーチサポート２４の長さ方向の寸法よりも短くなっている。更に、土踏まず対応領域１０ｂの接足面の中央部には、足骨Ｂの横アーチＢｄを支持する凸状の横アーチサポート２８が形成されている。
【００２０】
図３に示すように、踵対応領域１０ａの接足面の周縁には、足Ｆの踵部Ｆａを安定的に保持するためのＵ字状のヒールカップ３０が形成されている。また、ヒールカップ３０の内側端（幅方向内側の端）は、内側縦アーチサポート２４の後端に滑らかに繋がっている。ヒールカップ３０の外側端（幅方向外側の端）は、外側縦アーチサポート２６の後端に滑らかに繋がっている。
【００２１】
図６（ｂ）及び図８に示すように、歩行時の荷重中心が理想的な荷重中心軌跡（足圧中心軌跡）ＣＴを沿うように歩行を幅方向内側に誘導するため、踵対応領域１０ａの高さは、幅方向の中心から幅方向外側に向かって徐々に高くなっている。換言すれば、中敷本体１４（下部中敷本体１８）の厚みは、幅方向の中心から幅方向外側に向かって徐々に厚くなっている。理想的な荷重中心軌跡ＣＴとは、足Ｆの踵部Ｆａから母趾部Ｆｄにかけて弧を描くような軌跡のことをいう。
【００２２】
図２から図４、図７、及び図８に示すように、歩行時の荷重中心が理想的な荷重中心軌跡ＣＴを沿うように歩行を幅方向内側に誘導するため、上部中敷本体１６と下部中敷本体１８の間には、補強芯材３２が設けられている。換言すれば、中敷本体１４の内部には、補強芯材３２が設けられている。また、補強芯材３２は、合成樹脂を含浸させた織布又は不織布により構成されており、補強芯材３２の厚みは、例えば１，０ｍｍ以下に設定されている。補強芯材３２の剛性（曲げ剛性）は、中敷本体１４の剛性より高く設定されている。具体的には、補強芯材３２の長さ方向の曲げ剛性は３１Ｎ・ｃｍであり、補強芯材３２の幅方向の曲げ剛性は１７Ｎ・ｃｍである。補強芯材３２の曲げ剛性値は、所定の測定条件（測定器：オルゼン型スティッフネステスター、環境温度：２０℃、環境相対湿度：６５％ＲＨ、偏位角度：４０度）の下で測定された。なお、補強芯材３２を合成樹脂を含浸させた織布又は不織布により構成する代わりに、合成樹脂のみによって構成してもよい。
【００２３】
補強芯材３２は、内側縦アーチサポート２４、外側縦アーチサポート２６、及び横アーチサポート２８と重ならないように配置されている。また、補強芯材３２は、長さ方向に延びた第１芯材部３２ａと、幅方向に延びた第２芯材部３２ｂと、長さ方向に延びた第３芯材部３２ｃとを有している。
【００２４】
ここで、第１芯材部３２ａの一端（後端）は、踵対応領域１０ａの外側部分に位置しており、第１芯材部３２ａの他端（前端）は、土踏まず対応領域１０ｂとつま先対応領域１０ｃの境界周辺の外側部分に位置している。また、第２芯材部３２ｂの一端（外側端）は、第１芯材部３２ａの他端に連結されており、第２芯材部３２ｂの他端（内側端）は、土踏まず対応領域１０ｂとつま先対応領域１０ｃの境界周辺の内側部分に位置している。更に、第３芯材部３２ｃの一端（後端）は、第２芯材部３２ｂの他端に連結されており、第３芯材部３２ｃの他端（前端）は、つま先対応領域１０ｃの内側部分に位置している。なお、第１芯材部３２ａの一端が踵対応領域１０ａの外側部分に位置に位置する代わりに、土踏まず対応領域１０ｂの外側部分に位置してもよい。
【００２５】
続いて、本発明の実施形態に係るウォーキング用中敷１０の作用効果について説明する。
【００２６】
前述のように、中敷本体１４の内部に補強芯材３２が設けられ、補強芯材３２が前述の構成からなる第１芯材部３２ａ、第２芯材部３２ｂ、及び第３芯材部３２ｃを有している。また、踵対応領域１０ａの高さが幅方向の中心から幅方向外側に向かって徐々に高くなっている。そのため、歩行時の荷重中心が理想的な荷重中心軌跡ＣＴを沿うように、歩行を幅方向内側に誘導することができる。これにより、本発明の実施形態に係るウォーキング用中敷１０によると、ウォーキング中に足が幅方向外側に流れることを十分に抑えて、歩きやすくなる。
【００２７】
従って、本発明の実施形態に係るウォーキング用中敷１０によれば、着用者のウォーキング中の歩行効率を高めて、快適なウォーキングを行って、着用者の健康増進を図ることができる。
【００２８】
なお、本発明は、前述の実施形態の説明に限られるものではなく、適宜の変更を行うことにより、その他種々の態様で実施可能である。また、本発明に包含される権利範囲は、前述の実施形態に限定されないものでなく、ウォーキング用中敷１０をスポーツシューズ、ジョギングシューズ、又はビジネスシューズ等の内底面に設置した場合も及ぶものである。
【符号の説明】
【００２９】
１０    ウォーキング用中敷
１０ａ  踵対応領域
１０ｂ  土踏まず対応領域
１０ｃ  つま先対応領域
１４    中敷本体
１６    上部中敷本体
１８    下部中敷本体
２４    内側縦アーチサポート
２６    外側縦アーチサポート
２８    横アーチサポート
３２    補強芯材
３２ａ  第１芯材部
３２ｂ  第２芯材部
３２ｃ  第３芯材部
Ｂｂ  内側縦アーチ
Ｂｃ  外側縦アーチ
Ｂｄ  横アーチ
ＣＴ    理想的な荷重中心軌跡
【図１】
2020069203.tif 000003
【図２】
2020069203.tif 000004
【図３】
2020069203.tif 000005
【図４】
2020069203.tif 000006
【図５】
2020069203.tif 000007
【図６】
2020069203.tif 000008
【図７】
2020069203.tif 000009
【図８】
2020069203.tif 000010